(57)【要約】【課題】  汚泥の浄化方法は種々の方法が知られている。例えば、嫌気性消化方法、好気性活性汚泥法等である。これらの方法では、どうしても沈殿槽に汚泥が蓄積し、一定期間ごとに余剰汚泥を引き抜き、系外に出さなければならない。この引き抜き汚泥は当然産業廃棄物であるため専門の処理業者に処理を委託しなければならない。そこで、このような引き抜き汚泥の簡単で安価な処理方法を提供する。【解決手段】  種々の汚泥浄化法から発生する引き抜き汚泥の乾燥物を、破砕し、ナノバブル水が充填された処理槽に導入し、そこで微生物分解する方法、及び種々の汚泥浄化法の沈殿槽からの引き抜き汚泥をナノバブル水が充填された処理槽に導入し、そこで微生物分解する方法。【選択図】  なし【特許請求の範囲】
【請求項１】
種々の汚泥浄化法から発生する引き抜き汚泥の乾燥物を、破砕し、ナノバブル水が充填された処理槽に導入し、そこで微生物分解することを特徴とする引き抜き汚泥の分解方法。
【請求項２】
上記処理層に分解菌を導入するものである請求項１記載の引き抜き汚泥の分解方法。
【請求項３】
種々の汚泥浄化法の沈殿槽からの引き抜き汚泥をナノバブル水が充填された処理槽に導入し、そこで微生物分解することを特徴とする引き抜き汚泥の分解方法。
【発明の詳細な説明】
【技術分野】
【０００１】
本発明は、引き抜き汚泥の分解方法に関するものである。
【背景技術】
【０００２】
汚泥の浄化方法は種々の方法が知られている。例えば、嫌気性消化方法、好気性活性汚泥法等である。
これらの方法は、有機物を細菌によって分解させ、分解した有機分のほとんどを二酸化炭素や水等に分解し、大気や河川に放出するものである。
【０００３】
１例として活性汚泥法について説明する。まず、被処理有機物を含んだ原水を活性汚泥曝気槽に導入する。この中で好気性菌によって有機物が分解される。好気性であるため、曝気している。そして、ここから次工程である沈殿槽に処理水を送り、そこで上澄み液は放流する。沈殿槽の下層から汚泥を前記曝気槽に再循環する。
【０００４】
このシステムでは、どうしても沈殿槽に汚泥が蓄積し、一定期間ごとに余剰汚泥を引き抜き、系外に出さなければならない。この余剰汚泥を引き抜き汚泥という。
【０００５】
この引き抜き汚泥は当然産業廃棄物であるため専門の処理業者に処理を委託しなければならない。これが非常な費用負担となっている。
【発明の開示】
【発明が解決しようとする課題】
【０００６】
そこで、このような引き抜き汚泥の簡単で、安価な処理方法を提供する。
【課題を解決するための手段】
【０００７】
以上のような状況に鑑み、本発明者は鋭意研究の結果本発明処理方法を完成したものであり、その特徴とするところは、種々の汚泥浄化法から発生する引き抜き汚泥の乾燥物を、破砕し、ナノバブル水が充填された処理槽に導入し、そこで微生物分解する点にあり、他の態様では、種々の汚泥浄化法の沈殿槽からの引き抜き汚泥をナノバブル水が充填された処理槽に導入し、そこで微生物分解する点にある。
【０００８】
ここでいう汚泥浄化法は、上記した活性汚泥法だけでなく、有機物を分解処理する方法であればどのような方法でもよい。
【０００９】
また、引き抜き汚泥とは、被処理有機物の余剰分又は残渣又は分解中間物として系外にだされたものを言う。ここでは、脱水し、ケーキ状になったもの、まだ水と混ざった状態のもの等がある。
【００１０】
本発明の第１のものは、引き抜き汚泥がケーキ状になり、さらに乾燥させたものを使用する方法である。
この方法は引き抜き汚泥を乾燥させたものを破砕（以下粉砕も含めていう）することがポイントである。一般に引き抜き汚泥の乾燥物は、厚みのある板状であることが多い、よってこれをミキサーのような破砕機で破砕するのである。
【００１１】
この破砕したものを処理槽に導入する。この処理槽には、ナノバブル水が充填されている。
ここでナノバブルとは、直径５０ｎｍ〜１０００ｎｍの気泡をいう。ナノバブルの製造方法は、特許文献１に記載の方法等どのような方法でもよい。
また、ナノバルブ水とは、水１ｍｌ中に上記気泡が１０００個以上存在するものである。
【特許文献１】特開２００３−３３４５４８
【００１２】
このナノバブル水は、空気の気泡が多量に存在しているため、好気性菌には非常に住みやすく、曝気の必要必もない。この水は連続的又は定期的に放流するため、連続的又は定期的にナノバブル水を補充する。
更に、処理槽内の酸素濃度を測定し、一定以下になればナノバブル発生装置を用いてそこで発生させるか、ナノバブル水を追加してもよい。
【００１３】
この処理槽において微生物分解する。即ち、微生物の分解力によって引き抜き汚泥の有機分を分解し、そのほとんどを二酸化炭素、窒素ガス、水にして大気又は河川に開放する。その他イオウやリン等の化合物も、一般の下水処理場においては、非常に濃度が薄いため河川放流可能である。
また、特殊元素の特別多い特殊な汚泥においては特別な処理を施せばよい。
【００１４】
また、この時の微生物は、空気中に存在するものでもよいが、別途追加してもよい。微生物としては、有機物を好気的に分解するものならばどのようなものでもよい。酵母菌、乳酸菌、ビフィズス菌等である。
【００１５】
この微生物の添加量は、分解程度を見て適当に決めればよく、いくらでなければならいというものではない。この処理槽のものはすべて完全に河川に放流できるものにしなければならないということはない。従来よりも処理すべき汚泥が減少するだけでもよのである。
【００１６】
本発明においてはナノバブル水の中で有機物を微生物分解することが特徴であり、通常の曝気による空気（酸素）の吹き込みよりはるかに有効に微生物に酸素を与えることができる。曝気の方法では、吹き込んでいる酸素の極一部（数％以下と思われる）が水に溶解し、その他はすべて大気に放出される。そして、水に対する酸素の溶解度で決まる量しか溶解しない。
これに対してナノバブル水では、非常に多量に且つ有効に酸素を水中に存在させることができる。
【００１７】
また、前記したような引き抜き汚泥の乾燥物ではなく、種々の汚泥浄化法の沈殿槽からの引き抜き汚泥を直接ナノバブル水が充填された処理槽に導入し、そこで微生物分解する方法もある。この方法の場合、引き抜き汚泥の脱水や乾燥という工程は不要である。
【発明の効果】
【００１８】
本発明引き抜き汚泥の分解方法には次のような効果がある。
（１）  基本的に処理しなければならない汚泥（処理場又は工場等から排出する汚泥）がほとんどなくなるか、大きく軽減できる。そのため、処理に掛かる費用が大きく軽減できる。
（２）  ナノバブル水を使用しているため、処理槽内の酸素量が非常に多く、菌類の成長が著しい。
（３）  ナノバブル水を使用しているため、処理槽内に曝気の必要がない。よって、コンプレッサー等が不要になる。ナノバブル発生装置のイニシャルコストやランニングコストはコンプレッサーよりはるかに安価である。
（４）  処理槽に適当な菌類を添加すると、分解が非常に速くなりより効果が大きくなる。
【発明を実施するための最良の形態】
【００１９】
以下実施例に基づいて、本発明をより詳細に説明する。
【実施例１】
【００２０】
通常の活性汚泥式の汚泥の乾燥物を用いて本発明方法の実験を行なった。
１．４ｋｇの汚泥の乾燥物（押し固められて板状になっている。完全乾燥重量は約１ｋｇ）を、約３Ｌの水と混合して破砕装置（家庭用のミキサーのような）で破砕した。これを、ナノバブル水２０Ｌを充填した処理槽（２０Ｌ）に導入した。処理槽には攪拌翼を設けてゆっくりと回転させた。
ここに、種々の菌が培養された溶液（数万個／ｃｃ）を０．５Ｌ導入した。
【００２１】
この状態で１週間経過した時、液が透明になった。この状態で液を検査したところ、河川に放流できるものであった。即ち、この例では、引き抜き汚泥が完全に分解でき、廃棄物処理業者への委託量はゼロになったこととなる。
【００２２】
更に、同様の実験をより大きな処理槽（３０Ｌ）でも実施したが、同様の結果が得られた。